(57)【要約】【課題】  使用者の被服を汚すことなく、ビール樽内のビールを使い切ることを可能とするビール吐出ヘッド被覆部材を提供する。【解決手段】  ビールサーバーのボディ前面部に設けられ、ビール供給管と、ビール供給管に突設されビールを吐出するビール吐出管と、上記ビール吐出管からのビールの排出を制御するコックとを有するビール吐出ヘッドを被覆するビール吐出ヘッド被覆部材であって、上記ビール供給管及び上記ビール吐出管を側方から被覆する側方被覆部と、上記コックが突出する開口部を有する上方被覆部とを備えた構成とする。【選択図】  図１
0003177229.tif 000002
【実用新案登録請求の範囲】
【請求項１】
ビールサーバーのボディ前面部に設けられ、ビール供給管と、ビール供給管に突設されビールを吐出するビール吐出管と、上記ビール吐出管からのビールの排出を制御するコックとを有するビール吐出ヘッドを被覆するビール吐出ヘッド被覆部材であって、上記ビール供給管及び上記ビール吐出管を側方から被覆する側方被覆部と、上記コックが突出する開口部を有する上方被覆部とを備えたことを特徴とするビール吐出ヘッド被覆部材。
【請求項２】
上記側方被覆部には、上記ボディ前面部に着脱可能に固定することができる固定部が設けられていることを特徴とする請求項１記載のビール吐出ヘッド被覆部材。
【請求項３】
上記固定部は磁石部を有し、上記ボディ前面部に対して磁性吸着することを特徴とする請求項２記載のビール吐出ヘッド被覆部材。
【請求項４】
上記固定部は真空吸着部を有し、上記ボディ前面部に対して真空吸着することを特徴とする請求項２記載のビール吐出ヘッド被覆部材。
【請求項５】
上記上方被覆部と上記側方被覆部とは別体に形成され、接合固定されることを特徴とする請求項２記載のビール吐出ヘッド被覆部材。
【考案の詳細な説明】
【技術分野】
【０００１】
本考案は、ビールサーバーのビール吐出ヘッドを被覆するビール吐出ヘッド被覆部材に関する。
【背景技術】
【０００２】
一般に、飲食店等において生ビールを提供する場合に使用されるビールサーバーには、ビールを貯蔵したビール樽がチューブを介して接続されており、また、上記ビール樽には、炭酸ガスが充填されたガスボンベが接続されている。
【０００３】
ビールサーバーを使用してビールを注出する場合には、ガスボンベから送られる炭酸ガスの圧力によりビール樽内に貯蔵されたビールをビールサーバーに送出し、ビールサーバー前面部に配置されたビール吐出ヘッドのビール吐出管から、ジョッキやグラスに供給される。
【０００４】
しかしながら、ビール樽内に貯蔵されたビールの残量が少なくなった場合には、炭酸ガスがビールとともにビール吐出管から飛散することにより、使用者の被服等を汚してしまうという問題があった。
【０００５】
このため、上記の事態を防止するため、ビール樽内のビールが所定量まで減少すると、ビール樽内にビールが残っている場合であっても、ビール樽を交換することが行われているが、この場合、ビール樽内のビールを使い切ることができないという問題があった。
【０００６】
しかしながら、従来、簡易な構成により、炭酸ガスがビールとともにビール吐出管から飛散することにより、使用者の被服等を汚すことを防止できると共に、ビール樽内のビールを使い切ることができる発明、考案は存在しなかった。
【考案の開示】
【考案が解決しようとする課題】
【０００７】
そこで、本考案の課題は、使用者の被服を汚すことなく、ビール樽内のビールを使い切ることを可能とするビール吐出ヘッド被覆部材を提供することにある。
【課題を解決するための手段】
【０００８】
上記課題を解決するために、請求項１の考案に係るビール吐出ヘッド被覆部材にあっては、ビールサーバーのボディ前面部に設けられ、ビール供給管と、ビール供給管に突設されビールを吐出するビール吐出管と、上記ビール吐出管からのビールの排出を制御するコックとを有するビール吐出ヘッドを被覆するビール吐出ヘッド被覆部材であって、上記ビール供給管及び上記ビール吐出管を側方から被覆する側方被覆部と、上記コックが突出する開口部を有する上方被覆部とを備えたことを特徴とする。
【０００９】
したがって、上記側方被覆部により上記ビール吐出ヘッドを側方から被覆することができると共に、上記上方被覆部により、上記開口部から上記コックを突出させた状態で上記ビール吐出ヘッドの上方を被覆することができる。
【００１０】
請求項２の考案に係るビール吐出ヘッド被覆部材にあっては、上記側方被覆部には、上記ボディ前面部に着脱可能に固定することができる固定部が設けられていることを特徴とする。
【００１１】
したがって、請求項２の考案に係るビール吐出ヘッド被覆部にあっては、上記ビールサーバーの上記ボディ前面部に着脱可能である。
【００１２】
請求項３の考案に係るビール吐出ヘッド被覆部材にあっては、上記固定部は磁石部を有し、ボディ前面部に対して磁性吸着することを特徴とする。
【００１３】
一般に、ビールサーバーのボディ前面部は磁石と磁性吸着しうるステンレス製であることから、上記磁石部により、上記ボディ前面部に固定することができる。
【００１４】
請求項４の考案に係るビール吐出ヘッド被覆部材にあっては、上記固定部は真空吸着部を有し、ボディ前面部に対して真空吸着することを特徴とする。
【００１５】
したがって、上記真空吸着部により、上記ボディ前面部に固定することができる。
【００１６】
請求項５の考案に係るビール吐出ヘッド被覆部材にあっては、上記上方被覆部と側方被覆部とは別体に形成され、接合固定されることを特徴とする。
【考案の効果】
【００１７】
請求項１の考案に係るビール吐出ヘッド被覆部材にあっては、上記側方被覆部により上記ビール吐出ヘッドの側方を被覆することができると共に、上記上方被覆部により、上記開口部から上記コックを突出させた状態で上記ビール吐出ヘッドの上方を被覆することができることから、上記ビール吐出ヘッドの側方および上方を被覆した状態で上記コックを操作し、ビールサーバーからビールを注出することができる。
【００１８】
したがって、ビール樽内のビール残量が少なく、上記コックの操作時に炭酸ガスが噴出した場合であっても、請求項１の考案に係るビール吐出ヘッド被覆部材が上記ビール吐出ヘッドの側方および上方を被覆していることにより、使用者の被覆等を汚すことがない。
【００１９】
また、使用者の被服を汚すことなく、ビールを注出することができることから、ビール樽内のビールを使い切ることができる。
【００２０】
請求項２の考案に係るビール吐出ヘッド被覆部にあっては、ビールサーバーの前面部に着脱可能であることから、上記ボディ前面部から取り外して洗浄することができ、常に清潔な状態を維持することができる。
【００２１】
また、既設のビールサーバーにも取り付けることができ、汎用性の高いビール吐出ヘッド被覆部材を提供することができる。
【００２２】
請求項３の考案に係るビール吐出ヘッド被覆部材にあっては、上記磁石部により、上記ボディ前面部に固定することができることから、必要時には着脱を容易に行うことができる。
【００２３】
請求項４の考案に係るビール吐出ヘッド被覆部材にあっては、上記真空吸着部により、上記ボディ前面部に固定することができることから、ビールサーバーのボディ部が、磁石により吸着されない素材により製作されている場合であっても、着脱を容易に行うことができる。
【００２４】
請求項５の考案に係るビール吐出ヘッド被覆部材にあっては、上記上方被覆部と上記側方被覆部とは別体に形成されていることから、収納時および運搬時に嵩張ることがない。
【図面の簡単な説明】
【００２５】
【図１】本考案に係るビール吐出ヘッド被覆部材の第一の実施の形態におけるビール吐出ヘッド被覆部材を示す前方斜視図である。
【図２】本考案に係るビール吐出ヘッド被覆部材の第一の実施の形態におけるビール吐出ヘッド被覆部材を示す後方斜視図である。
【図３】本考案に係るビール吐出ヘッド被覆部材の第一の実施の形態におけるビール吐出ヘッド被覆部材をビールサーバーに設置した状態を示す斜視図である。
【図４】本考案に係るビール吐出ヘッド被覆部材の第一の実施の形態におけるビール吐出ヘッド被覆部材を示す分解斜視図である。
【図５】本考案に係るビール吐出ヘッド被覆部材の第二の実施の形態におけるビール吐出ヘッド被覆部材を示す後方斜視図である。
【考案を実施するための最良の形態】
【００２６】
以下、添付図面に示す第一の実施の形態に基づき、本発明を詳細に説明する。
【００２７】
図４に示すように、一般に、ビールサーバー５０のボディ前面部５１には、ビール供給管５２と、ビール供給管５２に突設されビールを吐出するビール吐出管５３と、上記ビール吐出管５３からのビールの排出を制御するコック５４とを有するビール吐出ヘッド５５が設けられている。
【００２８】
図４に示すように、第一の実施の形態に係るビール吐出ヘッド被覆部材１０は、ビール吐出ヘッド５５を被覆するビール吐出ヘッド被覆部材であり、図１および図４に示すように、上記ビール供給管５２及び上記ビール吐出管５３を側方から被覆する側方被覆部１１と、上記コックが突出する円形の開口部１２を有する上方被覆部１３とを備える。
【００２９】
また、図２に示すように、本実施の形態に係るビール吐出ヘッド被覆部材１０にあっては、上記側方被覆部材１１の後方下端部１４には、上記ボディ前面部５１に着脱可能に固定することができる固定部１５が設けられており、上記固定部１５は磁石により形成された磁石部１６を有し、上記ボディ前面部５１に対して磁性吸着できるように構成されている。
【００３０】
図３に示すように、上記上方被覆部１３と上記側方被覆部１１とは、それぞれ、１枚の透明な合成樹脂製の板材により別体に形成されており、上記上方被覆部１３は略長方形の基片部１７と上記基片部１７の前方に延設され、中央に上記開口部１２を有する略半円形の先端片部１８とを有し、上記基片部１７の両側端部１９、１９には、それぞれ、所定間隔離間した一対の孔部２０ａ、２０ａ、および２０ｂ、２０ｂが設けられている。
【００３１】
また、上記側方被覆部１１の後方上端部２２、２２には、上記基片部１７の両側端部１９、１９にそれぞれ重ね合わされる接合片部２３、２３が折曲されて延設されており、上記接合片部２３、２３には所定間隔離間した一対の孔部２４ａ、２４ａ、および２４ｂ、２４ｂが設けられている。
【００３２】
また、図１および図４に示すように、上記側方被覆部１１の前方下端部２１は、上記ビール吐出ヘッド被覆部材１０を上記ビールサーバー５０の上記ボディ前面部５１に取り付けて使用する場合に、ジョッキやグラスを傾けた状態で上記ビール吐出管５２の下方に配置しうるよう、上方に湾曲するよう構成されている。
【００３３】
図３に示すように、上記上方被覆部１３と上記側方被覆部１１とは、上記側端部１９、１９と上記接合片部２３、２３とを重ね合わせた後、上記孔部２０ａ、２０ａと孔部２４ａ、２４ａ、および上記孔部２０ｂ、２０ｂと孔部２４ｂ、２４ｂとをリベット２５、２５、２５、２５を取り付けることにより接合固定される。
【００３４】
以下、第一の形態に係るビール吐出ヘッド被覆部材１０の作用について説明する。
【００３５】
図４に示すように、上記ビール吐出ヘッド被覆部材１０は、上記側方被覆部１１により上記ビール吐出ヘッド５５を側方から被覆することができると共に、上記上方被覆部１３により、上記開口部１２から上記コック５４を突出させた状態で上記ビール吐出ヘッド５５の上方を被覆することができることから、上記ビール吐出ヘッド５５の側方および上方を被覆した状態で上記コック５４を操作し、ビールサーバーからビールを注出することができる。
【００３６】
したがって、ビール樽（図示せず）内のビール残量が少なく、上記コック５４の操作時に炭酸ガスが噴出した場合であっても、ビール吐出ヘッド被覆部材１０が上記ビール吐出ヘッド５５の側方および上方を被覆していることにより、使用者の被覆等を汚すことがない。
【００３７】
また、使用者の被覆を汚すことなく、ビールを注出することができることから、ビール樽内のビールを使い切ることができる。
【００３８】
ビール吐出ヘッド被覆部１０は、ビールサーバー５０のボディ前面部５１に着脱可能であることから、上記ボディ前面部５１から取り外して洗浄することができ、常に清潔な状態を維持することができる。
【００３９】
また、既設のビールサーバーにも取り付けることができ、汎用性の高いビール吐出ヘッド被覆部材を提供することができる。
【００４０】
一般に、ビールサーバー５０のボディ前面部５１は磁石と磁性吸着しうるステンレス製であることから、上記磁石部により、上記ボディ前面部に固定することができ、その結果、ビール吐出ヘッド被覆部１０の着脱を容易に行うことができる。
【００４１】
また、ビール吐出ヘッド被覆部材１０にあっては、上記上方被覆部１３と上記側方被覆部１４とは別体に形成され、接合固定されることから、収納時および運搬時に嵩張ることがない。
【００４２】
次に、添付図面に示す第二の実施の形態を説明する。
【００４３】
以下に説明する第二の実施の形態においては、上記第一の実施に形態におけるビール吐出ヘッド被覆部材１０と共通する構成に関し、上記第一の実施の形態と同一の符号を付し、その説明を省略する。
【００４４】
図５に示すように、第二の実施の形態に係るビール吐出ヘッド被覆部材３０にあっては、固定部１５は吸盤により形成された真空吸着部３１を有し、上記ボディ前面部５１に対して真空吸着することにより着脱可能に取り付けられる。
【００４５】
以下、第二の形態に係るビール吐出ヘッド被覆部材３０の作用について説明する。
【００４６】
上記ビール吐出ヘッド被覆部材３０は、上記真空吸着部３１により、上記ボディ前面部５１に固定することができることから、ビールサーバー５０のボディ前面部５１が、磁石により吸着されない素材により製作されている場合であっても、着脱を容易に行うことができる。
【産業上の利用可能性】
【００４７】
本考案は、ビールサーバーのビール吐出ヘッドを被覆するビール吐出ヘッド被覆部材に適用可能である。
【符号の説明】
【００４８】
１０  ビール吐出ヘッド被覆部材
１１  側方被覆部
１２  開口部
１３  上方被覆部
１４  後方下端部
１５  固定部
１６  磁石部
１７  基片部
１８  先端片部
１９  側端部
２０ａ、２０ａ  孔部
２０ｂ、２０ｂ  孔部
２１  前方下端部
２２  後方上端部
２３  接合片部
２４ａ、２４ａ  孔部
２４ｂ、２４ｂ  孔部
２５、２５、２５、２５  リベット
３０  ビール吐出ヘッド被覆部材
３１  真空吸着部
５０  ビールサーバー
５１  ボディ前面部
５２  ビール供給管
５３  ビール吐出管
５４  コック
５５  ビール吐出ヘッド
【図１】
0003177229.tif 000003
【図２】
0003177229.tif 000004
【図３】
0003177229.tif 000005
【図４】
0003177229.tif 000006
【図５】
0003177229.tif 000007